(57)【特許請求の範囲】
【請求項１】
開放口と、該開放口に取り付けられて容器または缶を密閉する蓋と、前記開放口に隣接して前記容器に設けられた外周縁リムと、前記容器の内容物を書き込むのに適した表示タグとを備えた家庭用容器または缶であって、
前記表示タグは、該表示タグの一端またはその近傍に第１の協働手段を備え、
前記容器、前記リム、該リムの近傍、または該リムの下に第２の協働手段を設け、
前記第１の協働手段は前記第２の協働手段と協働し、
前記第１の協働手段と前記第２の協働手段とは、リブと凹部とから成る群からそれぞれ選択され、
前記第１および第２の協働手段は、前記表示タグを前記家庭用容器または缶に取り外し可能に取り付けることを特徴とする、家庭用容器または缶。
【請求項２】
前記第１の協働手段は、前記表示タグの両側に設けられていることを特徴とする請求の範囲第１項記載の家庭用容器または缶。
【請求項３】
前記表示タグが前記側壁の形状に適合するよう、前記リムの下にさらなるリブを有することを特徴とする請求の範囲第１項または第２項記載の家庭用容器または缶。
【請求項４】
前記第１の協働手段が凹部であり、前記第２の協働手段が、前記外周縁リムの下の、前記側壁の細長いリブであることを特徴とする請求の範囲第１項から第３項いずれか１項記載の家庭用容器または缶。
【請求項５】
前記凹部のすぐ近傍に、該凹部に付随する細長いリブを有することを特徴とする請求の範囲第４項記載の家庭用容器または缶。
【請求項６】
前記表示タグが前記リムと係合するのを防ぐパッドが、前記容器または缶の、前記リムの下の側壁に設けられていることを特徴とする請求の範囲第１項から第５項いずれか１項記載の家庭用容器または缶。
【請求項７】
前記リブを前記容器または缶にリンクさせる、少なくとも１対の積み重ね用リブをさらに有し、それにより該積み重ね用リブ間の間隔を前記表示タグの幅に実質的に一致させていることを特徴とする請求の範囲第１項から第６項いずれか１項記載の家庭用容器または缶。
【発明の詳細な説明】
技  術  分  野
この発明は、容器の内容物の性質を表示するように上記容器に対するタグの取り付けに関するもので、特に、このようなタグの、それに限定されるものではないが、家庭用容器または缶に対する取付けに関するものである。
背  景  技  術
冷凍庫の出現により、また食物に賞味期限があるために、家庭で、容器の内容物を表示する方法を確立することが重要になってきている。例えば、食物が包装から取り出されて容器に移されると、その包装はリサイクルまたは廃棄のために持ち去られる。この場合、新しい容器には賞味期限の表示はない。また、容器の内容物が同時に表示されれば有益である。調理した食物を冷凍する場合に、その容器に何が入っているか、何時冷凍したか、あるいは何時までに消費しなければならないかを限定することを可能にするために、表示は重要である。
従来用いられている通常の方法は、接着ラベルであった。これら接着ラベルには多くの種類があるが、あまり効果的ではなかった。容器を冷凍する際に、または容器を電子レンジに移す際に、ラベルの取付けおよび書込みは容易ではあるが、接着剤の性質はたいてい変化し、またラベルの除去は困難である。したがって、容器を洗う際に、ラベルの一部分は除去されるが他の部分は残り、醜い使用不能な滓が残る。皿洗い機で洗うと、部分的に除去された接着ラベルはフィルタを詰まらせ、洗浄を効果のないとする。耐水性ラベルを用いたとしても、数回の使用で耐水性が失われ、やはり醜い使用不能な滓が残る。
それに加えて、識別データの書込みが可能なタグの取付けおよび取除きが容易な性質を有する他の形式の容器があるとすれば、極めて有益である。例えば鉢植植物では、植物の名称、年齢および他の識別データが極めて失われる易い。直ぐに取り付けられるタグがあれば、種蒔きに関して解決策となる。このようなタグは、種蒔きの詳細、植え付けの日にち、期待される色等を記録することができる。注水日、施肥日、何時殺菌剤または殺虫剤を施したか等を記録することができる。
したがって、この発明の主たる目的は、容器の内容物の特徴を表示することが可能なように、タグを容器に取り外し可能に取り付けることができる手段を提供することにある。このような特徴は、容器自体の内容物、または関係のある日付け、包装日、またはその他の適切あるいは必要な特徴を含む。
発  明  の  開  示
上記およびその他の目的のために、この発明は、取り外し可能な表示タグを備えた容器を提供するもので、この容器は上記表示タグを取り外し可能に取り付けるのに適しており、上記表示タグは容器の内容物の情報を書きこむのに適している。
この発明はまた、開放口と、この開放口上で容器または缶を密閉する蓋と、容器に設けられた上記開放口に隣接する外周縁リムと、容器の内容物を書き込むのに適した表示タグとを備えた家庭用容器または缶を提供するもので、上記表示タグは、上記蓋または蓋の近傍、もしくは上記リムまたはリムの近傍、またはリムの下に設けられた第２の協働手段と結合する第１の協働手段を上記表示タグの一端またはその近傍に備え、これら第１および第２の協働手段は、表示タグが、上記家庭用容器または缶に取り外し可能に取り付けられるのを許容する。
上記容器の外周縁リムは、フランジ付きスカート、十分な中実のビード、または容器の側壁の類似または同一の寸法を有する延出部のような多くの通常形態をとることができる。
この発明を完全に理解するために、この発明の主な特徴を具体化した容器および表示タグの好ましい構成を、図面を参照して以下に記述す。
【図面の簡単な説明】
第１図は、容器に取り付けられるタグの第１の実施の形態の分解斜視図、
第２図は、第１図のタグが容器に取り付けられた状態を示す斜視図、
第３図は、第２図の側面断面図、
第４図は、第２の実施の形態の部分的断面図、
第５図は、第３の実施の形態の部分的断面図、
第６図は、第４の実施の形態の部分的断面図、
第７図は、第５の実施の形態の部分的断面図、
第８図は、第６の実施の形態の第１図に対応する図、
第９図は、第７の実施の形態の第１図に対応する斜視図、
第１０図は、第８の実施の形態の円形容器の底面図、
第１１図は、第８の実施の形態の長方形容器の底面側から見た斜視図、
第１２図は、第１１図に参照番号１２で示された領域の拡大図、
第１３図は、第１０図および第１１図に示された容器に用いられる表示タグの斜視図、
第１４図は、第１３図の１４−１４線に沿った、かつ矢示の方向から見た断面図、
第１５図は、第１３図に示された表示タグとともに第１１図に示された容器を一部を断面として示す部分的正面図、
第１６図は、第１５図の１６−１６線に沿った、かつ矢示の方向から見た断面図、
第１７図は、第１５図の１７−１７線に沿った、かつ矢示の方向から見た断面図、
第１８図は、第１６図に示された容器の変形を示す第１６図に類似した図、
第１９図は、第１３図に示された表示タグの変形を示す図、
第２０図は、容器に取り付けられる表示タグの第９の実施の形態の分解斜視図、
第２１図は、容器に取り付けられる表示タグの第１０の実施の形態の分解斜視図、
第２２図は、容器に取り付けられる表示タグの第１１の実施の形態の分解斜視図、
第２３図は、第２２図に示された実施の形態の断面図、
第２４図は、容器に取り付けられる表示タグの第１２の実施の形態の分解斜視図、
第２５図は、第２４図に示された実施の形態の正面図である。
発明を実施するための最良の形態
第１図〜第３の実施の形態を参照すると、容器（図示せず）の側壁１４のリム１２に取り付けられるタグが符号１０で示されている。側壁１４の構造は本発明とは無関係なので、その記述は省略する。リム１２は外方かつ下方へ延びて、スカート１６を備えている。リム１２には、互いに裏返し関係にある２つの対向するＬ字形の突起または鉤状部材２０を取り外し可能に収容するのに適した開口部またはスロット１８が形成されており、これら鉤状部材２０のそれぞれは、開口部１８の近傍のリム１２に係合する平坦な底面２３を備えた外方へ突出する部分２２を有する。
タグ１０は、どのような形状またはサイズのものも使用可能ではあるが、一般に長方形である。リム１２の下方に位置するタグ１０をアシストするために２つのラグ２４が用いられて、リム１２の下側にゆるやかに当接することにより、タグ１０をぴたりと合った状態に保持する。
この方法では、２つの突起２０を互いに押し付けることにより、これら突起２０が開口部１８を通過し、ついで、自由にされて力を加えられていない状態に復帰して、開口部１８の近傍のリム１２に接触する。突起２０の頂面が曲面をなしていることにより、開口部１８を通過する突起には、僅かの力を加えるだけ十分である。タグ１０を取り外すのには、再び突起２０に互いの方向に向かう力を加えるだけで、タグ１０を取り外す。
第１図に示されているように、タグ１０の正確な位置決めに供するリブ２６を設けてもよい。第３図に示されているように、壁１４上に位置する蓋２８はタグ１０または突起２０の動作の妨げになることはない。スカート１６はタグ１０の外方移動を制限する。
第４図の実施の形態には、側壁３０および底板３２を備えた容器が示されている。底板３２には、Ｌ字形タグ３６を貫通して位置決めする支脚３４が設けられている。タグ３６は、タグ１０と同様に動作するが、明らかに側壁３０および底板３２の形状に添う形状を有している。
第５図には、第１図〜第３図の実施の形態の変形が示され、側壁３８、リム４０およびスカート４２が示されている。側壁３８には、通常の態様で蓋４４が取り付けられている。蓋には、タグ５０が貫通して位置決めされる開口部４８を備えた突起４６が設けられている。タグ５０は、第１図〜第３図のタグ１０と同様に動作する。
第６図には、第５図の構成の変形が示されており、ここにも、リム５４およびスカート５６を備えた側壁５２が存在する。側壁５２に通常の態様で固定される蓋５８が設けられている。蓋５８は、タグ６４の開口部６２を貫通して突出する突起６０を備えている。タグ６４は、第１図〜第３図の突起２０に類似した延長部分を備えており、この延長部分は、蓋５８のビード部５９を越えて蓋５８上のラグ６６に係合して固定される。
さらなる変形が第７図に示され、ここには、リム７０およびスカート７２を備えた側壁６８が示されている。蓋７４は通常の態様で側壁６８に係合している。タグ７６は、スカート７２の下に係合する突出ラグ７８を内側に備えている。タグ７６は、蓋７４の周縁ビード部８２に上から係合するカーブした上方部分８０を備えている。この場合、タグ７６は、そのカーブした部分８０をビード部８２の上に置き、かつラグ７８をスカート７２の下部に係合させてからぴたりと合った状態にすることによって、蓋７４と容器との組み合わせ体を取り付けることができる。
第８図の実施の形態は、第１図〜第３図に示されたものの変形であり、ここには、側壁８８に設けられているリム８６に係合するのに適したタグ８４が示されている。リム８６はそこから垂れ下がるスカート９０を備えている。リム８６には、開口部９４が貫通している凹部９２が形成されている。タグ８４は、外方への突出部９８を備えた、互いに対向する、裏返し関係にある２つの突起９６を有する。突起９６は、タグ８４の上から短い距離だけ上方へ延びており、突起９６の両側には凹部１００が形成されている。タグ８４の動作および凹部９２との係合状態は、第１図〜第３図の実施の形態におけるリム１２に対するタグ１０とほぼ同様である。
第９図の実施の形態には、さらに他の変形が示されている。ここでは、リム１０４に取り外し可能に係合するのに適したタグ１０２があり、リム１０４はスカート１０６を備えている。リム１０４は側壁１０８に設けられている。この実施の形態は、前の実施の形態にたいへん近い。タグ１０２は、第８図の実施の形態のタグ８４とほぼ同じであり、側方への突出部１１２を備えた互いに対向する、裏返し関係にある２つの突起１１０と、突起１１０の両側に形成された凹部１１４とを備えている。突起１１０は、リム１０４およびスカート１０６の延出部１１８に形成された開口部１１６を通って係合するようにされている。係合状態は、第１図〜第３図の実施の形態のタグ１０および第８図の実施の形態のタグ８４にたいへん近い。
第１０図〜第１７図に示された実施の形態では、容器１２９，１３１の側壁１３０（第１０図および第１１図）に設けられた、スカート１２８を備えたリム１２６と係合するのに適したタグ１２４がある。しかしながら、この場合は、タグ１２４が開口部を通って係合するようにはなっていない。側壁１３０からは、ほぼ平行でかつ間隔をおいた並びリブ１３２が外方へ延長されている。積み重ね用リブ１３２はリム１２６およびスカート１２８の下に延びている。タグ１２４は２つの積み重ね用リブ１３２間の間隔に合ったサイズを有する。タグ１２４は上縁１３４の近傍に細長い凹部１３６を備え、凹部１３６の直ぐ近くにこれに沿った細長いリブ１３８を有する。凹部１３６およびリブ１３８の両側には三角形またはこれと類似の形状の２つの開口部または凹部１４０が形成されている。凹部１３６およびリブ１３８の組み合わせは、タグ１２４が裏返しでもよいように、タグ１２４の両面に設けられている。
側壁１３０にも、ほぼ横方向に延びるリブ１４２が形成されており、このリブ１４２は、リブ１４２の直ぐ上方を延びるリブ１３８を伴った凹部１３６に係合することを意図している。この方法で、タグ１２４はリム１２６の下方にぴったり合う態様で係合する。必要であれば、リム１２６の下方におけるタグ１２４の位置決めに役立ち、かつタグ１２４を押して側壁１３０の形状に順応させるのに役立つような、さらなるリブ１４６が設けられる。この方法では、タグ１２４は側壁の形状に追従し、側壁の形状に順応し、かつ取り外しが容易な態様で側壁に比較的確実に取り付けられる。
第１８図は、第１６図に示されたものの変形を示し、側壁１５０上にパッド１４４が設けられている。したがって、リブ１５２は第１６図に示されたリブ１４２よりも下方へ移されている。パッド１４４は表示タグ１２４を所望の位置に案合し、タグ１２４がリム１５４に係合するのを防止する。
第１９図は、第１３図に示された表示タグ１２４の変形を示す。表示タグ１５６は、例えば日、月等の所定の基準を表示するのに用いられる多数の回転ダイアル１５８，１６０を備えている。容器の内容物の有用な属性を表示し得る滑動体１６２をレール１６４に留めることもできる。
第２０図には、第９図に示された実施の形態の変形が示されている。タグ１７０は、スカート１７４を備えたリム１７２に取り外し可能に係合するようになっている。リム１７２は側壁１７６に設けられている。タグ１７０は、間にノッチ１８２を形成した一対の突起１７８，１８０を備えている。リム１７２は、切取り１８６によって正面に開口するスロット１８４を有する。切取り１８６は、対向する２つのラグ１８８によって画成されている。使用時には、タグ１７０は、ノッチ１８２がリム１７２にパチンと固定されるまでスロット１８４内に押し込まれる。
第２１図には、第２０図に示された実施の形態の変形が示されている。タグ１９０は、側壁１９６上のリム１９４のスカート１９２に取り外し可能に係合するようになっている。一対のＬ字状ラグ１９８がスカート１９２に一体に設けられている。タグ１９０は、端部２０２に返し２００を備え、かつ返し２００の近傍に一対のラグ２０４を備えている。使用時には、タグ１９０は、上方へ押し込まれて、返し２００とラグ２０４の間でラグ１９８に係合する。
第２２図および第２３図に示された実施の形態では、タグ２０６が、側壁２１２上の鉤状部材２１０に係合するスロット２０８を備えている。リム２１４は側壁２１２から突出し、その自由端にスカート２１６を備えている。タグ２０６の回転を防止するために、リム２１４の下方にリブ２１８が設けられている。
第２４図および第２５図に示された実施の形態では、タグ２２０がスロット２２２を備えている。周縁リム２２４が側壁２２６から延びかつその自由端にスカート２２８を備えている。短い突出部２３０が側壁２２６から突出し、これにボタン状留め具２３２が横方向に固定されている。ボタン状留め具２３２は上記スロット２２２の形状に対して相補的な形状を有する。第２４図に示されているように、タグ２２０は、そのスロット２２２の方向がボタン状留め具２３２の方向と一致するような方向に向けられて、上記短い突出部２３０に押し込まれる。次にタグ２２０は、第２５図に示されているように、取り付け位置に直交する位置に向かって下方へ回動される。この実施の形態では、もし突出部２３０とスロット２２２との間に十分なクリアランスがあれば、タグ２２０は回動自在な位置にある。
第２４図および第２５図に示された実施の形態におけるように、タグ２２０は可撓性を有していてもよいが、硬いものであれば、タグ２００がリム２２４の下方で回動できるように、突出部２３０は側壁２２６のより下方へ移され、あるいは、側壁２２６がリム２２４を備えていない場合もある。
各場合におけるタグ１０，３６，５０，６４，７６，８４，１０２，１２４，１５６，１７０，１９０，２０６および２２０は、例えば、ボールペン、フェルトペン、万年筆、鉛筆その他の適当な筆記具で書ける表面を備えたプラスチック材料で作成される。さらに、タグには、例えば、容器の通常の内容物のようなある種の特定の情報が記載される。この情報は、例えば「砂糖」、「小麦粉」、「プリムラ」、「ハーブ」その他のような単語とすることができる。あるいは、日付け、月および年を明確に示す、取り外しあるいは追加を意図したタブをタグに取り付けることもできる。
機械的な表示器として用いられる場合、鉢植植物用の混合土の中に直接差し込めるように、あるいは庭の植物用の土に差せるように、タグには別体または一体のスパイクが取り付けられ、所望の字または他のデータが書き込まれる。このデータは、例えば、前回の給水日あるいは他の適切または必要なデータである。
この方法によれば、タグを容器に取り付けたり、容器から取り外したりすることが容易にできるので、容器の内容物、適切な日付け、書き込み日付けその他をタグその他に書き込むことができる。容器はタグを付けて、あるいは付けないで使用することができる。このようなタグの性質のおかげで、タグを容易に用いることができ、容器洗いが困難になることはない。
上述の記載には、容器に付けて用いるタグおよび容器の好ましい実施の形態が記載されているが、この発明の本質から離れることなしに、構造の細部に関する多くの変形または修正が可能であることは当業者が理解するところであろう。
【図１】
0003694025.tif 000002
【図２】
0003694025.tif 000003
【図３】
0003694025.tif 000004
【図４】
0003694025.tif 000005
【図５】
0003694025.tif 000006
【図６】
0003694025.tif 000007
【図７】
0003694025.tif 000008
【図８】
0003694025.tif 000009
【図９】
0003694025.tif 000010
【図１０】
0003694025.tif 000011
【図１１】
0003694025.tif 000012
【図１２】
0003694025.tif 000013
【図１３】
0003694025.tif 000014
【図１４】
0003694025.tif 000015
【図１５】
0003694025.tif 000016
【図１６】
0003694025.tif 000017
【図１８】
0003694025.tif 000018
【図１９】
0003694025.tif 000019
【図１７】
0003694025.tif 000020
【図２０】
0003694025.tif 000021
【図２１】
0003694025.tif 000022
【図２２】
0003694025.tif 000023
【図２３】
0003694025.tif 000024
【図２４】
0003694025.tif 000025
【図２５】
0003694025.tif 000026